(57)【特許請求の範囲】
【請求項１】
ネットワークを介した通信を処理するネットワーク通信部と、揮発性記憶部および書き換え可能な不揮発性記憶部を有する制御部と、操作部と、を備えた端末装置であって、
前記揮発性記憶部は、端末設定情報を記憶し、
前記不揮発性記憶部は、前記ネットワークに接続するためのネットワーク情報を記憶し、
前記制御部は、
前記操作部の第１の手順で電源がオンされた場合、前記不揮発性記憶部から前記ネットワーク情報を読み出して前記ネットワークに接続し、該ネットワーク上のサーバにアクセスして前記端末設定情報を取得して前記揮発記憶部に書き込み、
前記操作部の第２の手順で電源がオンされた場合、前記不揮発性記憶部から前記ネットワーク情報を読み出して前記ネットワークに接続し、前記サーバにアクセスして前記ネットワークとは別の第２ネットワークに接続するための第２ネットワーク情報を取得して、該第２ネットワーク情報を前記ネットワーク情報として前記不揮発性記憶部に上書き記憶する
端末装置。
【請求項２】
前記サーバは、割当サーバとプロビジョニングサーバとを含み、
前記制御部は、
前記第１の手順で電源がオンされた場合、まず前記割当サーバにアクセスしてこの端末装置の識別符号を取得し、次に前記プロビジョニングサーバにアクセスして該識別符号に対応する前記端末設定情報を取得し、
前記第２の手順で電源がオンされた場合、前記割当サーバにアクセスして前記第２ネットワーク情報を取得する
請求項１に記載の端末装置。
【請求項３】
前記制御部は、前記サーバから複数の第２ネットワーク情報を取得し、このうち前記操作部の操作によって選択されたものを前記ネットワーク情報として前記不揮発性記憶部に記憶する請求項１または請求項２に記載の端末装置。
【請求項４】
ネットワークを介した割当サーバおよびプロビジョニングサーバとの通信を処理するネットワーク通信部と、揮発性記憶部および書き換え可能な不揮発性記憶部を有する制御部と、操作部と、を備えた端末装置であって、
前記揮発性記憶部は、端末設定情報を記憶し、
前記不揮発性記憶部は、前記ネットワークに接続するためのネットワーク情報を記憶し、
前記制御部は、
電源がオンされると、前記不揮発性記憶部から前記ネットワーク情報を読み出して前記ネットワークに接続し、前記割当サーバにアクセスして、前記プロビジョニングサーバにアクセスするためのサーバ情報、および、前記ネットワークとは別の第２ネットワークに接続するための第２ネットワーク情報を取得し、
前記操作部から所定の操作が入力されたとき、前記第２ネットワーク情報を前記ネットワーク情報として前記不揮発性記憶部に上書き記憶し、前記操作部から前記所定の操作が入力されなかったとき、前記サーバ情報を用いて前記プロビジョニングサーバにアクセスして前記端末設定情報を取得し、取得された端末設定情報を前記揮発性記憶部に書き込む
端末装置。
【請求項５】
前記制御部は、前記割当サーバから複数の第２ネットワーク情報を取得し、このうち前記操作部の操作によって選択されたものを前記ネットワーク情報として前記不揮発性記憶部に記憶する請求項４に記載の端末装置。
【請求項６】
第１ネットワーク上に設置された第１サーバと、第２ネットワーク上に設置された第２サーバと、前記第１および第２ネットワークに接続可能な端末装置と、
を備えた端末設定システムであって、
前記第１サーバは、前記第１ネットワークにおける端末設定情報、および、前記第２ネットワークに接続するための第２ネットワーク情報を記憶し、
前記端末装置は、
前記端末設定情報が書き込まれる揮発性記憶部、前記ネットワーク情報として前記第１ネットワークに接続するための第１ネットワーク情報が記憶されている書き換え可能な不揮発性記憶部、および、操作部を備え、
前記操作部の第１の手順で電源がオンされると、前記不揮発性記憶部から前記第１ネットワーク情報を読み出して前記第１ネットワークに接続し、前記第１サーバから前記第１端末設定情報を取得して前記揮発記憶部に書き込み、
前記操作部の第２の手順で電源がオンされると、前記不揮発性記憶部から前記第１ネットワーク情報を読み出して前記第１ネットワークに接続し、前記第１サーバから前記第２情報を取得して前記ネットワーク情報として前記不揮発性記憶部に上書き記憶する
端末設定システム。
【請求項７】
前記第１サーバは、前記端末装置に識別符号を付与する割当サーバ、および、前記端末装置に前記端末設定情報を提供するプロビジョニングサーバを含み、
前記端末装置は、
前記第１の手順で電源がオンされた場合、まず前記割当サーバにアクセスしてこの端末装置の識別符号を取得し、次に前記プロビジョニングサーバにアクセスして前記識別符号に対応する前記第１端末設定情報を取得し、
前記第２の手順で電源がオンされた場合、前記割当サーバにアクセスして前記第２ネットワーク情報を取得する
請求項６に記載の端末設定システム。
【請求項８】
第１ネットワーク上に設置された第１サーバと、第２ネットワーク上に設置された第２サーバと、前記第１および第２ネットワークに接続される端末装置と、
を備えた端末設定システムであって、
前記第１サーバは、前記端末装置に端末設定情報を提供するプロビジョニングサーバ、および、前記プロビジョニングサーバにアクセスするためのサーバ情報および前記第２ネットワークに接続するための第２ネットワーク情報を提供する割当サーバを含み、
前記端末装置は、
前記端末設定情報が書き込まれる揮発性記憶部、ネットワーク情報として前記第１ネットワークに接続するための第１ネットワーク情報が記憶されている書き換え可能な不揮発性記憶部、および、操作部を備え、
電源がオンされると、前記不揮発性記憶部から前記第１ネットワーク情報を読み出して前記第１ネットワークに接続し、前記割当サーバから前記サーバ情報、および、前記第２ネットワーク情報を取得し、
前記操作部から所定の操作が入力されたとき、前記第２ネットワーク情報を前記ネットワーク情報として前記不揮発性記憶部に上書き記憶し、前記操作部から前記所定の操作が入力されなかったとき、前記サーバ情報を用いて前記プロビジョニングサーバにアクセスして前記端末設定情報を取得し、取得された端末設定情報を前記揮発性記憶部に書き込む
端末設定システム。
【請求項９】
ネットワークを介した通信を処理するネットワーク通信部と、端末設定情報を記憶する揮発性記憶部と、前記ネットワークに接続するためのネットワーク情報を記憶する書き換え可能な不揮発性記憶部と、操作部と、を備えた端末装置のコンピュータを、
前記操作部の第１の手順で電源がオンされた場合、前記不揮発性記憶部から前記ネットワーク情報を読み出して前記ネットワークに接続し、該ネットワーク上のサーバにアクセスして前記端末設定情報を取得して前記揮発記憶部に書き込む手段、および、
前記操作部の第２の手順で電源がオンされた場合、前記不揮発性記憶部から前記ネットワーク情報を読み出して前記ネットワークに接続し、前記サーバにアクセスして前記ネットワークとは別の第２ネットワークに接続するための第２ネットワーク情報を取得して、該第２ネットワーク情報を前記ネットワーク情報として前記不揮発性記憶部に上書き記憶する手段
として機能させる端末設定プログラム。
【請求項１０】
ネットワークを介した割当サーバおよびプロビジョニングサーバとの通信を処理するネットワーク通信部と、端末設定情報を記憶する揮発性記憶部と、前記ネットワークに接続するためのネットワーク情報を記憶する不揮発性記憶部と、操作部と、を備えた端末装置のコンピュータを、
電源がオンされたとき、前記不揮発性記憶部から前記ネットワーク情報を読み出して前記ネットワークに接続し、前記割当サーバにアクセスして、前記プロビジョニングサーバにアクセスするためのサーバ情報、および、前記ネットワークとは別の第２ネットワークに接続するための第２ネットワーク情報を取得する手段、
前記操作部から所定の操作が入力されたとき、前記第２ネットワーク情報を前記ネットワーク情報として前記不揮発性記憶部に上書き記憶する手段、および、
前記操作部から前記所定の操作が入力されなかったとき、前記サーバ情報を用いて前記プロビジョニングサーバにアクセスして前記端末設定情報を取得し、取得された端末設定情報を前記揮発性記憶部に書き込む手段
として機能させる端末設定プログラム。
【請求項１１】
第１ネットワーク上に設置され、該第１ネットワークに接続された端末装置同士の音声通信を中継する第１中継サーバ、前記端末装置に端末設定情報を供給する第１プロビジョニングサーバ、前記端末装置に識別情報を付与するとともに前記第１プロビジョニングサーバにアクセスするための第１サーバ情報を提供する第１割当サーバ、
第２ネットワーク上に設置され、該第２ネットワークに接続された端末装置同士の音声通信を中継する第２中継サーバ、前記端末装置に端末設定情報を供給する第２プロビジョニングサーバ、前記端末装置に識別情報を付与するとともに前記第２プロビジョニングサーバにアクセスするための第２サーバ情報を提供する第２割当サーバ、および、
前記ネットワークに接続するためのネットワーク情報を記憶する書き換え可能な不揮発性記憶部と、前記端末設定情報が書き込まれる揮発性記憶部とを備えた端末装置、
を有する音声通信システムにおいて、
前記第１割当サーバに、前記第２ネットワークに接続するための第２ネットワーク情報を更に記憶させ、
前記第２割当サーバに、前記第１ネットワークに接続するための第１ネットワーク情報を更に記憶させ、
前記第１ネットワーク情報がネットワーク情報として前記不揮発性記憶部に記憶されている前記端末装置を、前記不揮発性記憶部に記憶されている前記第１ネットワーク情報に基づいて前記第１ネットワークに接続し、前記第１割当サーバから前記第２ネットワーク情報を取得して、これを前記不揮発性記憶部に上書き記憶し、
前記端末装置を、前記不揮発性記憶部に記憶されている前記第２ネットワーク情報に基づいて前記第２ネットワークに接続し、前記第２割当サーバから前記第２サーバ情報を取得して、前記第２プロビジョニングサーバにアクセスし、
前記第２プロビジョニングサーバから前記端末設定情報を取得し、
この端末設定情報を用いて前記第２中継サーバにアクセスする
端末設定方法。
【発明の詳細な説明】
【技術分野】
【０００１】
この発明は、無線ＬＡＮなどのネットワークを用いた通信システムにおける端末装置の移動の容易化に関する。
【背景技術】
【０００２】
非特許文献１に示すように無線ＬＡＮを利用した音声通信システムである無線ＬＡＮトランシーバーシステムが実用化されている。これは、無線ＬＡＮ（ローカル・エリア・ネットワーク）を介して複数の端末装置とサーバを接続し、サーバの中継機能によって端末装置間の音声通信を可能にしたものである。端末装置は、ハンディトランシーバに類似した形状をしており、従来の無線通信と変わらない使用感で、無線ＬＡＮの特性を活かしてフルデュプレックス通信やグループ通信などの通信形態を実現している。
【先行技術文献】
【非特許文献】
【０００３】
【非特許文献１】”IP ADVANCED RADIO SYSTEM”、アイコム株式会社、インターネット〈https://www.icom.co.jp/products/network/ip_advanced_radio_system/〉
【発明の概要】
【発明が解決しようとする課題】
【０００４】
一方、上記の音声通信システムは、無線ＬＡＮを利用したシステムであるため、各機器をネットワークに接続したり、各機器間で通信を可能にするためには、各機器に対応する設定が必要である。多数の端末装置を使用する場合、各端末装置ごとに設定が必要であり作業量が多くなる。また、端末装置が、複数の拠点（音声通信システム）間を移動する場合、例えば、複数の拠点間を移動するユーザによって使用される端末装置の場合、拠点ごとに設定が異なるため、拠点を移動するごとに、その拠点に合わせて設定を変更しなければならず面倒であった。【０００５】
そこで、この発明は、無線ＬＡＮなどのネットワークを用いた通信システムにおいて、拠点間の端末装置の移動を容易化することを目的とする。
【課題を解決するための手段】
【０００６】
本発明の端末装置は、ネットワークを介した通信を処理するネットワーク通信部と、揮発性記憶部および書き換え可能な不揮発性記憶部を有する制御部と、操作部と、を備える。揮発性記憶部は、端末設定情報を記憶する。不揮発性記憶部は、ネットワークに接続するためのネットワーク情報を記憶する。制御部は、操作部の第１の手順で電源がオンされた場合、不揮発性記憶部からネットワーク情報を読み出してネットワークに接続し、ネットワーク上のサーバにアクセスして端末設定情報を取得して揮発記憶部に書き込む。また、制御部は、操作部の第２の手順で電源がオンされた場合、不揮発性記憶部からネットワーク情報を読み出してネットワークに接続し、サーバにアクセスしてネットワークとは別の第２ネットワークに接続するための第２ネットワーク情報を取得して、これを不揮発性記憶部に上書き記憶する。【０００７】
本発明は、以下のような複数の音声通信システム間で端末装置を移動させる場合に有効である。その音声通信システムは、第１ネットワーク上に設置され、第１ネットワークに接続された端末装置同士の音声通信を中継する第１中継サーバ、端末装置に端末設定情報を供給する第１プロビジョニングサーバ、端末装置に識別情報を付与するとともに第１プロビジョニングサーバにアクセスするための第１サーバ情報を提供する第１割当サーバ、を有する第１音声通信システム、および、第２ネットワーク上に設置され、第２ネットワークに接続された端末装置同士の音声通信を中継する第２中継サーバ、端末装置に端末設定情報を供給する第２プロビジョニングサーバ、端末装置に識別情報を付与するとともに第２プロビジョニングサーバにアクセスするための第２サーバ情報を提供する第２割当サーバ、を有する第２音声通信システム、を有する。第１割当サーバに第２ネットワークに接続するための第２ネットワーク情報を記憶しておき、端末装置に対して、第１ネットワークにおいて第２ネットワーク情報を書き込む。これにより、この端末装置が第２音声通信システムで用いられるとき、速やかに第２ネットワークに接続して第２割当サーバにアクセスすることができる。
【発明の効果】
【０００８】
この発明によれば、端末装置の起動時の設定が容易になり、拠点間を移動する場合でも拠点ごとの手動設定が不要になる。
【図面の簡単な説明】
【０００９】
【図１】この発明の実施形態である音声通信システムの構成図である。
【図２】端末装置のブロック図である。
【図３Ａ】端末装置の記憶部に設定される記憶エリアを示す図である。
【図３Ｂ】端末装置のＦＲＯＭの記憶内容の例を示す図である。
【図３Ｃ】端末装置のＦＲＯＭの記憶内容の例を示す図である。
【図４】サーバのブロック図である。
【図５】割当サーバに設定されるＴＲＸテーブルを示す図である。
【図６】中継サーバに設定される端末設定テーブルを示す図である。
【図７】中継サーバに設定される端末登録テーブルを示す図である。
【図８】中継サーバに設定されるグループテーブルを示す図である。
【図９】中継サーバに設定されるミキシングテーブルを示す図である。
【図１０】音声パケットの構成の一例を示す図である。
【図１１】端末装置へのＴＲＸ情報の書き込み処理を示すフローチャートである。
【図１２】端末装置と割当サーバの通信手順を示すフローチャートである。
【図１３】端末装置の動作を示すフローチャートである。
【図１４】中継サーバの動作を示すフローチャートである。
【図１５】中継サーバの動作を示すフローチャートである。
【図１６】複数の拠点間を端末装置のである。
【図１７】端末装置と割当サーバの通信手順を示すフローチャートである。
【発明を実施するための形態】
【００１０】
図面を参照してこの発明の音声通信システムについて説明する。図１は、この発明の実施形態である音声通信システムの構成図である。この音声通信システムでは、Ｗｉ−Ｆｉなどの無線ＬＡＮ（ローカル・エリア・ネットワーク）１６を用いて、複数の端末装置１４が相互に通信を行う。端末装置１４は、無線通信用のハンディトランシーバに似た形状をしており、図２に示すようにＰＴＴ（プッシュ・トゥ・トーク）スイッチ２２０を備えている。端末装置１４は、機能面で言えば、無線アクセスポイント（ＡＰ）１３を介して音声パケットを送受信する無線ネットワーク機器である。中継機能を有するサーバ１１は、複数の端末装置１４の有線ネットワーク１５および無線ＬＡＮ１６を経由した相互の通信を中継する。なお、以下、有線ネットワーク１５および無線ＬＡＮ１６を総称してネットワーク１７と呼ぶ。
【００１１】
有線ネットワーク１５として、Ｅｔｈｅｒｎｅｔ（登録商標）のＬＡＮやインターネットなどが使用可能である。有線ネットワーク１５にインターネットが含まれる場合には、ＶＰＮ（バーチャル・プライベート・ネットワーク）を用いることで安全な通信が可能である。また、無線ＬＡＮ１６として、Ｗｉ−ＦｉなどＩＥＥＥ８０２．１１に準拠した通信方式などが適用可能である。端末装置１４と無線アクセスポイント１３とは、この無線ＬＡＮ１６の通信方式で通信する。図１では、無線アクセスポイント１３が３台設置されているが、この音声通信システムにおいて無線アクセスポイント１３の数に制限はない。
【００１２】
有線ネットワーク１５には、サーバ１１および管理装置１２が接続されている。サーバ１１は、ＴＲＸ番号の割り当てを担当する割当サーバ機能、端末装置１４に必要なデータを設定して動作可能にするプロビジョニングサーバ機能、および、音声信号を中継する中継サーバ機能を有する。以下、理解の容易化のためにサーバ１１の割当サーバ機能を割当サーバ１１Ａ、プロビジョニングサーバ機能をプロビジョニングサーバ１１Ｂ、および、中継サーバ機能を中継サーバ１１Ｃと呼ぶ。勿論、割当サーバ１１Ａ、プロビジョニングサーバ１１Ｂおよび中継サーバ１１Ｃのうち、一つまたは全てが別のハードウェアで構成されていてもよい。割当サーバ１１Ａは、端末装置１４にこの音声通信システムにおける端末装置１４の識別符号であるＴＲＸ番号を自動で割り当てる。中継サーバ１１Ｃは、端末装置１４間の通信を中継する。サーバ１１の処理の詳細は後述する。管理装置１２は、管理プログラムがインストールされたパーソナルコンピュータなどで構成されている。管理装置１２は、管理者の操作に応じてサーバ１１にアクセスし、サーバ１１に図５−図８に示すテーブルなどを設定する。また、管理装置１２は、ＵＳＢなどで端末装置１４と通信し、端末装置１４に図３Ａに示す情報を書き込む。
【００１３】
この音声通信システムでは、中継サーバ１１Ｃが、端末装置１４から前触れなく送信されてくる音声パケット（ＲＴＰパケット）を受信し、この音声パケットに書き込まれている通信制御情報に基づいて、このパケットの音声信号を通信相手の端末装置１４に配信する。これにより、ネットワーク１７を介した音声通信であるにもかかわらず、ＳＩＰ手順のような通信確立手順を不要にしている。すなわち、この音声通信システムでは、ユーザが、ダイヤリングのような呼び出し操作をしなくても、端末装置１４のＰＴＴスイッチ２２０をオンしてマイク２４０に向けて話せば、この音声信号が通信相手の端末装置１４に伝達される。これにより、ユーザは、従来の無線通信のトランシーバと同じような使用感でネットワークを介した音声通信を行うことができる。
【００１４】
この音声通信システムにおいて、端末装置１４は、個別通信、グループ通信および全体通信の通信形態で通信が可能である。個別通信は、１台の端末装置１４（呼出端末装置）が他の１台の端末装置を呼び出して行う、一対一の通信形態である。グループ通信は、呼出端末装置１４がグループを呼び出し、そのグループに所属する端末装置間で相互に通信する形態である。また、全体通信は、全端末装置１４を対象としたグループ通信であり、呼出端末装置１４が全体を呼び出し、全端末装置間で相互に通信する形態である。
【００１５】
図２は、端末装置１４のブロック図である。上述したように、端末装置１４は、機能面から言うと、無線ＬＡＮの無線アクセスポイント（ＡＰ）１３を介して音声パケットを送受信する無線ネットワーク機器である。制御部２０は、マイクロプロセッサで構成され、端末装置１４の動作を制御する。制御部２０は、図３Ａに示すデータが記憶される記憶部２１を有している。記憶部２１は、ＲＡＭ２１ＡおよびフラッシュＲＯＭ２１Ｂを有している。ＲＡＭ２１Ａは、動作時のワークメモリとして使用される。フラッシュＲＯＭ（ＦＲＯＭ）２１Ｂは、ＴＲＸ情報やネットワーク情報などの情報を不揮発に記憶するために使用される。制御部２０には、操作部２２、表示部２３、オーディオ回路２４および無線ＬＡＮ通信部２５が接続されている。操作部２２は、ＰＴＴスイッチ２２０などのキースイッチを含み、ユーザの操作を受け付けてその操作信号を制御部２０に入力する。表示部２３は液晶ディスプレイを含む。液晶ディスプレイには、ユーザの操作によって選択された通信相手の端末番号／グループ番号や着信した通信相手の端末番号／グループ番号などが表示される。
【００１６】
オーディオ回路２４は、マイク２４０およびスピーカ２４１を有している。制御部２０は、受信した音声パケットをデコードしてオーディオ回路２４に入力する。オーディオ回路は、このデコードされたオーディオ信号をアナログ信号に変換してスピーカ２４１から出力する。また、オーディオ回路２４は、マイク２４０から入力された音声信号をデジタル信号に変換して制御部２０に入力する。制御部２０は、このデジタルオーディオ信号を音声パケット化して無線ＬＡＮ通信部２５に入力する。無線ＬＡＮ通信部２５は、ＩＥＥＥ８０２．１１に準拠した通信方式で無線通信を行う回路を有する。無線ＬＡＮ通信部２５は、制御部２０から入力されたパケットを無線アクセスポイント１３に向けて送信する。以上の機能により、ユーザがＰＴＴスイッチ２２０を押しながらマイク２４０に向けて音声を発すると、この音声信号が、音声パケットに編集されて中継サーバ１１Ｃに送信される。また、無線ＬＡＮ通信部２５は、無線アクセスポイント１３を経由して中継サーバ１１Ｃから受信したパケットを制御部２０に入力する。
【００１７】
端末装置１４は、ＰＴＴスイッチ２２０とともにＶＯＸ回路２４２を有している。ＶＯＸ回路２４２とは、マイク２４０の入力レベルとその持続時間に基づいてユーザの通話音声（音声信号）が入力されたか否かを判定し、通話音声が入力されたと判定された場合に装置をＰＴＴスイッチ２２０がオンされた場合と同じ通信状態に切り換える回路である。端末装置１４は、モード設定により、送信オン／オフの切り換えを、ＰＴＴスイッチ２２０のオンおよびＶＯＸ回路２４２の一方または両方に基づいて用いて行う。
【００１８】
一般の無線通信トランシーバは、送信状態の時に無線信号の受信を行うことができないシンプレックス方式であるのに対し、端末装置１４は、音声信号の送信と受信を同時に並行して行うフルデュプレックス方式の通信が可能である。この機能は、端末装置１４が、ネットワーク１７を介して音声パケットを高速に送受信するネットワーク通信端末であることによる。ただし、端末装置１４は、フルデュプレックス通信を行う場合であっても、無音の音声パケットを送信し続けることがないように、ＰＴＴスイッチ２２０またはＶＯＸ回路２４２の機能により、通話音声が入力されたときのみ音声パケットを編集および送信する。
【００１９】
端末装置１４は、ＲＡＭ２１ＡおよびフラッシュＲＯＭ２１Ｂに図３Ａに示す記憶エリアを有している。フラッシュＲＯＭ２１Ｂには、ＴＲＸ情報およびネットワーク情報が不揮発に記憶される。ＴＲＸ情報は、ＴＲＸ番号およびサーバ情報を含む。ＴＲＸ番号は、上述したように音声通信システムにおける端末装置１４の識別符号であり、この実施形態では１〜１００の数値が用いられ、その音声通信システムで運用される各端末装置１４にいずれか一つの数値が割り当てられる。サーバ情報は、サーバ１１にアクセスするための情報であり、ＩＰアドレスおよびパスワードを含む。また、ネットワーク情報は、ネットワーク１７（無線ＬＡＮ１６）にアクセスするための情報であり、ＳＳＩＤおよび認証情報（ＷＥＰなど）を含む。これらＴＲＸ情報およびネットワーク情報は、例えば図３Ｂに示すような内容であり、端末装置１４の電源がオンされたとき、フラッシュＲＯＭ２１Ｂから読み出され、ＲＡＭ２１Ａに書き込まれる。また、図３Ｃのように、ＴＲＸ情報が空欄であってもよい。この場合、端末装置１４の電源がオンされたとき、端末装置１４は、ネットワーク情報に基づいてネットワーク１７に接続し、割当サーバ１１ＡにアクセスしてＴＲＸ番号およびサーバ情報を取得する。すなわち、ＴＲＸ番号が自動割当（ＡＵＴＯ）を示す空欄（Ｎｕｌｌ）であると、端末装置１４は、ＴＲＸ情報を割当サーバ１１Ａから自動取得する。取得したＴＲＸ番号およびサーバ情報は、フラッシュＲＯＭ２１Ｂには書き込まれず、ＲＡＭ２１Ａのみに書き込まれる。したがって、電源がオフされるとこの内容はクリアされる。
【００２０】
以上のように、ＴＲＸ番号の割当方法は、図３Ｂのように、管理装置１２によって手動でフラッシュＲＯＭ２１ＢにＴＲＸ番号が書き込まれる手動割当、および、図３Ｃのように、フラッシュＲＯＭ２１Ｂには何も書き込まれず（Ｎｕｌｌが書き込まれ）、割当サーバ１１ＡによってＲＡＭ２１ＡにＴＲＸ番号が割り当てられる自動割当がある。また、自動割当には、各端末装置１４毎に予め決められたＴＲＸ番号が割り当てられる静的割当、および、そのとき空いているＴＲＸ番号が順番に割り当てられる動的割当がある。静的割当は、ＭＡＣアドレスを用いて行われる。端末装置１４のＭＡＣアドレスを所定のＴＲＸ番号に対応づけて割当サーバ１１Ａに登録しておき、その端末装置１４が割当サーバ１１Ａにアクセス（割当要求）したとき、割当サーバ１１Ａは、ＭＡＣアドレスを照合することによって、その端末装置１４に予約されたＴＲＸ番号を割り当てる。また、動的割当では、割当要求があったとき、割当サーバ１１Ａは、そのとき空いているＴＲＸ番号を端末装置１４に割り当てるが、各ＴＲＸ番号に対応づけて過去に割り当てた端末装置１４のＭＡＣアドレスが記憶されており、割当サーバ１１Ａは、可能な限り、前回と同じＴＲＸ番号を端末装置１４に割り当てる。
【００２１】
端末装置１４は、ＲＡＭ２１Ａに書き込まれたＴＲＸ情報を用いてプロビジョニングサーバ１１Ｂにアクセスする。プロビジョニングサーバ１１Ｂは、端末装置１４からアクセスがあると、その端末装置１４に対してプロビジョニングを行う。プロビジョニングは、端末装置１４に対して、端末番号を含む端末設定情報や更新プログラムを送信する処理である。これにより、その端末装置１４は動作可能な状態にセットアップされる。端末装置１４は、付与された端末番号で中継サーバ１１Ｃにアクセスし、レジストを要求する。中継サーバ１１Ｃは、この端末装置１４をレジストして音声信号の中継を可能にする。端末装置１４のレジストは、端末登録テーブル（図７参照）のこの端末番号に対応するアクティブフラグをセットすることで行われる。端末番号は端末装置１４を呼び出すための呼出符号として用いられる。端末設定情報には、この端末装置１４の端末番号や他の端末装置１４の端末番号や通信グループのグループ番号が記載された電話帳などが含まれる。端末番号は、４桁以内の英数で構成され、各端末装置１４毎にユニークであればその値は任意である。また、その後の適当なタイミングに、端末装置１４は、中継サーバ１１Ｃに対してレジストの更新を要求する。その後の適当なタイミングとは、たとえば、一定時間毎、接続している無線アクセスポイント１３が切り換わったときなどである。
【００２２】
端末装置１４は、音声信号を中継サーバ１１Ｃに送信するとき、その音声信号に、自己の端末番号および通信相手の端末番号（またはグループ番号）を付加した音声パケットを作成して送信する。音声パケットの構成は後述する。
【００２３】
図４は、サーバ１１のブロック図である。サーバ１１は、制御部３０、記憶部３１およびネットワーク通信部３２を有している。記憶部３１は、たとえばハードディスクやＲＡＭなどで構成される。ネットワーク通信部３２は、有線ネットワーク１５との通信を制御する。サーバ１１の記憶部３１には、図５〜図９に示す各種のテーブルが設定される。サーバ１１の制御部３０は、割当要求を送信してきた端末装置１４に対して空いているＴＲＸ番号を割り当て、端末装置１４に対してプロビジョニングを行うとともに、端末装置１４から送信されてきた音声信号のミキシングおよび転送を行う。
【００２４】
図５は割当サーバ１１Ａの記憶部３１に設定されるＴＲＸテーブルを示す図である。ＴＲＸテーブルは、ＴＲＸ番号が手動割当されていない端末装置１４に対してＴＲＸ番号を含むＴＲＸ情報を自動割当するためのテーブルである。ＴＲＸテーブルには、端末装置１４に割り当て可能なＴＲＸ番号が記憶されている。各ＴＲＸ番号に対応づけて、サーバ情報、ネッワーク情報、割当対象情報、割当済フラグおよびＭＡＣアドレスの記憶エリアが設けられている。割当対象情報は、そのＴＲＸ番号が、特定の端末装置１４に対して予め予約されていること（静的割当）、予約されていないこと（動的割当）、または、ネットワーク情報の送信のためのダミーのＴＲＸ番号であることを示す情報である。静的割当とは、ＴＲＸ番号が特定の端末装置１４に対して予め予約されており、そのＴＲＸ番号がその端末装置１４に固定的に割り当てられる割り当ての形態である。動的割当とは、ＴＲＸ番号の割当先が固定されておらず、空いているＴＲＸ番号が割当要求のあった端末装置１４に順番に割り当てられる割り当ての形態である。ダミーのＴＲＸ番号は、他拠点のネットワーク情報が対応づけられており、後述（図１６、図１７参照）するように、このＴＲＸ番号を用いて端末装置１４に移動先の拠点のネットワーク情報が提供される。サーバ情報は、サーバ１１（プロビジョニングサーバ１１Ｂ）にアクセスするためのＩＰアドレスやパスワードなどの情報である。ネットワーク情報は、ネットワーク１７（無線ＬＡＮ１６）にアクセスするためのＢＳＳＩＤやパスワードなどの情報である。動的割当用および静的割当用のＴＲＸ番号のサーバ情報の項目には、この音声通信システムのサーバ１１の情報が記憶されている。また、ダミーのＴＲＸ番号のネットワーク情報の項目には、他拠点（他の音声通信システム）のネットワークに接続するための情報が記憶されている。動的割当用および静的割当用のＴＲＸ番号のネットワーク情報の項目には、ネットワーク情報を書き込んでおく必要はないが、自拠点（この音声通信システム）のネットワーク情報を書き込んでおいてもよい。また、ダミーのＴＲＸ番号のサーバ情報の項目には、移動先の拠点で再度割当サーバ１１Ａにアクセスするため、ネットワーク情報に対応する他拠点のサーバ情報を書き込んでおく必要はないが、他拠点のサーバ情報または自拠点のサーバ情報を書き込んでおいてもよい。
【００２５】
割当済フラグは、そのＴＲＸ番号が、現在端末装置１４に割り当てられていることを示すフラグであり、端末装置１４にそのＴＲＸ番号が割り当てられたとき割当サーバ１１Ａによってセットされる。ＭＡＣアドレスの項目には、静的割当のＴＲＸ番号の場合、予約している端末装置１４（の無線ＬＡＮ通信部２５）のＭＡＣアドレスが書き込まれる。また、動的割当のＴＲＸ番号の場合、ＭＡＣアドレスの項目には、そのＴＲＸ番号が割り当てられた端末装置１４のＭＡＣアドレスが記憶される。一度ＴＲＸ番号が割り当てられ、その後非アクティブになった端末装置１４から再度割当要求があった場合、そのＭＡＣアドレスでテーブルを検索することにより、できるだけ同じＴＲＸ番号を割り当てる。なお、ダミーのＴＲＸ番号については、割当済フラグおよびＭＡＣアドレスの書き込みの対象外である。全てのＴＲＸ番号が端末装置１４に（少なくとも一度）割り当てられ、空きのＴＲＸ番号が無くなった場合、新たな割当要求に対しては、現在アクティブでないエントリーのなかで最も古いものをリセットして、今回要求があった端末装置１４に割り当てる。なお、ＴＲＸ番号が自動割当された端末装置１４が非アクティブになると、中継サーバ１１Ｃから割当サーバ１１Ａにその旨が通知される。また、割当サーバ１１Ａは、所定時間以上端末装置１４が非アクティブな時間が継続すると、その端末装置１４に対するリース期間が終了したとして、その端末装置１４に割り当てていたＴＲＸ番号の割当済フラグをリセットしてもよい。
【００２６】
図６は、プロビジョニングサーバ１１Ｂの記憶部３１に設定される端末設定テーブルを示す図である。端末設定テーブルは、端末装置１４に対してプロビジョニングを行うときに用いられる。端末設定テーブルには、ＴＲＸ番号ごとに、そのＴＲＸ番号の端末装置１４に設定する端末番号（呼出符号）、設定データが記憶されている。設定データは、たとえば、プログラムの更新データ（ファームウェア）、通信可能な他の端末装置１４の端末番号、自己が所属するグループを記録した電話帳などである。また、各ＴＲＸ番号に対応して、その番号の端末装置１４が設定済であることを示すフラグが記憶されている。ＴＲＸ番号は１〜１００の１００台分であり、この設定では、１〜３０が手動割当用のＴＲＸ番号として使用される。また、３１〜１００が自動割当用のＴＲＸ番号として使用される。図５のＴＲＸテーブルには、自動割当用のＴＲＸ番号が登録される。なお、９１〜１００のＴＲＸ番号は図５に示したようにダミー割当用の番号である。
【００２７】
図７は、中継サーバ１１Ｃの記憶部３１に設けられる端末登録テーブルを示す図である。端末登録テーブルは、中継サーバ１１Ｃが端末装置１４を管理するためのテーブルである。各端末装置１４は、各々ユニークに振られている呼び出し番号である端末番号で識別される。端末登録テーブルには、端末番号ごとに、その端末装置１４のＴＲＸ番号、アクティブフラグ、ＩＰアドレス、および、接続中の無線アクセスポイント１３の識別符号（ＩＰアドレス）が記憶されている。アクティブフラグは、端末装置１４が、中継サーバ１１Ｃにアクセスしてレジストを完了して通信可能であることを示すフラグである。なお、サーバ１１において、プロビジョニング用の端末設定テーブル（図６）と登録用の端末登録テーブル（図７）を合体させて１つのテーブルにしてもよい。なお、本発明の第１情報は、ＴＲＸ情報および端末設定情報の一部または全部が対応している。
【００２８】
プロビジョニングサーバ１１Ｂは、端末装置１４からプロビジョニング要求を受信したとき、その端末装置１４に対してプロビジョニングの処理を実行する。プロビジョニングが完了すると、端末装置１４は、中継サーバ１１Ｃにアクセスしてレジストを要求する。中継サーバ１１Ｃは、端末登録テーブルにＩＰアドレスを書き込み、アクティブフラグをセットして通信可能であることを登録（レジスト）する。さらに、中継サーバ１１Ｃは、その後の適当なタイミングに、端末装置１４と通信して、その端末装置１４のレジストを更新する。その後の適当なタイミングとは、たとえば、一定時間毎、接続している無線アクセスポイント１３が切り換わったときなどである。
【００２９】
中継サーバ１１Ｃは、端末装置１４間の通信（音声信号の転送）を制御するために、グループテーブルおよびミキシングテーブルをさらに備えている。図８は、グループテーブルを示す図である。グループテーブルは、中継サーバ１１Ｃがグループを管理するためのテーブルである。各グループは、各々ユニークに振られているＩＤ（グループ番号）で識別される。グループテーブルには、グループごとに、そのグループ番号、および、そのグループに所属する端末装置１４（所属端末装置）の端末番号が記憶されている。
【００３０】
図９はミキシングテーブル（セッションテーブル）を示す図である。ミキシングテーブルは、中継サーバ１１Ｃが通信セッションを管理するためのテーブルである。通信セッションとは、中継サーバ１１Ｃを中継装置とした複数の端末装置１４間の通信状態のことである。ミキシングテーブルは、複数の行を有しており、各行に１つの通信セッションの情報が記憶される。中継サーバ１１Ｃは、端末装置１４から音声信号（音声パケット）を受信したとき、ミキシングテーブルを参照してその音声信号がどの通信セッションのものかを判断する。
【００３１】
中継サーバ１１Ｃが、端末装置１４から最初の音声パケットである呼出音声パケットを受信したとき、この音声パケットに基づく通信セッションがミキシングテーブルに登録される。
【００３２】
ミキシングテーブルには、各通信セッションについて、セッション番号、発呼端末番号、参加端末番号、および、残保持時間（Ｔ１）の項目が設けられる。セッション番号は、この通信セッションを識別する番号である。発呼端末番号は、この通信セッションの最初の音声パケット（呼出音声パケット）を送信した端末装置１４（発呼端末装置）の端末番号である。セッション番号としては、呼出音声パケットに書き込まれていた通信相手識別番号が用いられる。セッション番号として端末番号が登録されている通信セッション（たとえば「１９」）が、個別通信の通信セッションである。個別通信とは、１対１の個別の端末装置１４同士の通信である。セッション番号としてグループ番号が登録されている通信セッション（たとえば「００１２」）が、グループ通信の通信セッションである。グループ通信とは、複数の端末装置１４（一般的には３台以上）が相互に音声信号を交換する通信である。
【００３３】
参加端末番号は、この通信セッションに参加している端末装置１４の端末番号の一覧である。参加端末番号に端末番号が登録されている或る端末装置１４から音声パケットが送信されてきた場合、制御部３０は、この音声パケットを、参加端末番号に端末番号が登録されている他の端末装置１４に転送し、参加端末装置間の相互通信を実現する。
【００３４】
グループ通信セッションの場合、参加端末番号は、発呼端末装置の端末番号および通信相手に指名されたグループに属する端末装置１４の端末番号となる。
【００３５】
また、保持時間は、参加端末装置から音声パケットが送信されてこない状態で、この通信セッションを解消せずに保持する時間である。中継サーバ１１Ｃにおける各通信セッションの保持時間は、たとえば３０秒に設定される。ミキシングテーブルの保持時間タイマ（ＴＳ）は、音声パケットが送信されてこないとき、保持時間の経過をカウントするタイマである。保持時間タイマＴＳは、制御部３０による処理（図１５参照）で、音声パケットが送信されてこないとカウントダウンされ、且つ、音声パケットが送信されてくれば３０秒にリセットされる。参加端末装置から音声パケットが３０秒間送られて来ないことによりタイマＴＳがタイムアップした場合、この通信セッションは解消され、ミキシングテーブルからこの通信セッションの情報が消去される。
【００３６】
また、通信セッションが継続されるためには、各端末装置１４においても保持時間を計時する必要がある。端末装置１４の保持時間（Ｔ１）は、中継サーバ１１Ｃの保持時間（ＴＳ＝３０秒）よりも短く、タイマＴ１には例えば５秒が設定される。ユーザは、ＰＴＴスイッチ２２０をオフしたのち、５秒が経過すると、中継サーバ１１Ｃでその通信セッションが維持されていても、所定操作により他の通信セッションを開始することができる。
【００３７】
音声パケットは、図１０に示すような構成をしている。音声パケットはヘッダおよびデータ本体（ペイロード）からなる。ヘッダには宛先ＩＰアドレス(destination address)および送信元アドレス(sender address)が含まれている。端末装置１４から中継サーバ１１Ｃに送信される音声パケットの場合、宛先ＩＰアドレスは中継サーバ１１ＣのＩＰアドレスであり、送信元アドレスは端末装置１４のＩＰアドレスである。また、中継サーバ１１Ｃから端末装置１４に送信される音声パケットの場合、宛先ＩＰアドレスは端末装置１４のＩＰアドレスであり、送信元アドレスは中継サーバ１１ＣのＩＰアドレスである。データ本体には、デジタル化された音声信号とともに、通信制御情報が含まれている。通信制御情報は、呼出種別、呼出ＩＤおよび発信ＩＤを含んでいる。呼出種別は、この音声パケットがどの通信種別（個別通信、グループ通信、全体通信）のものであるかを識別する情報である。呼出ＩＤは、通信相手(target device)を識別する情報であり、個別通信の場合、その端末装置１４の端末番号が用いられ、グループ通信の場合、そのグループのグループ番号が用いられる。
【００３８】
発信ＩＤは、音声信号の発信元を示す情報である。端末装置１４から中継サーバ１１Ｃに送信される音声パケットの場合、発信ＩＤには、その端末装置１４の端末番号が書き込まれる。端末装置１４から音声パケット化されて送信された音声信号は、中継サーバ１１Ｃで別の音声パケットに載せ換て通信相手の端末装置１４に転送される。通信相手の端末装置１４においても、受信した音声信号の発信元が判るように、中継サーバ１１Ｃから端末装置１４に転送される音声パケットの発信元ＩＤにはその音声信号を送信してきた端末装置１４の端末ＩＤが書き込まれる。グループ通信の場合、複数の端末装置１４から受信した音声信号をミキシングした信号をパケット化して端末装置１４に転送する場合があるが、この音声パケットの発信ＩＤはクリアされてもよく、グループ番号が書き込まれてもよい。
【００３９】
グループ通信の場合、グループ通信に参加している複数の端末装置１４から受信した音声信号をミキシングして、グループ通信に参加している各端末装置１４に転送するが、音声信号を送信した端末装置１４に自装置が送信した音声信号が戻ってこないように、ミキシングは各端末装置１４ごとに別々に行われる。すなわち、音声信号を送信していない端末装置１４に対しては、受信した全ての音声信号をミキシングしたものを転送し、音声信号を送信してきた端末装置１４に対しては、その端末装置１４が送信した音声信号を外して、それ以外の音声信号をミキシングしたものを転送する。これにより、端末装置１４で自装置が送信した音声信号のエコーが生じないようにしている。
【００４０】
図１１は、端末装置１４に対して行われるＴＲＸ情報書き込みの処理を示すフローチャートである。端末装置１４が、管理装置１２などのコンピュータに接続されてこの書き込みが行われる。まず、端末装置１４（制御部２０）は、管理者の割当モードの入力が自動割当であるか否かを判断する（Ｓ１０１）。自動割当の場合（Ｓ１０１でＹＥＳ）、端末装置１４は、フラッシュＲＯＭ２１ＢのＴＲＸ番号の項目をクリアして、または、自動割当を示す情報（Ｎｕｌｌなど）を書き込んで（Ｓ１０２）処理を終了する。自動割当でない場合（Ｓ１０１でＮＯ）、端末装置１４は、管理者によるＴＲＸ番号およびサーバ情報（ＩＰアドレス、パスワードなど）の入力を受け付け（Ｓ１０３）、入力されたＴＲＸ番号およびサーバ情報をフラッシュＲＯＭ２１Ｂに書き込んで（Ｓ１０４）処理を終了する。
【００４１】
図１２は、端末装置１４の電源がオンされてから通信が可能になるまでの、サーバ１１との通信の手順を示す図である。端末装置１４の電源がオンされると（Ｓ１１０）、端末装置１４は、フラッシュＲＯＭ２１Ｂに記憶されているネットワーク情報をＲＡＭ２１Ａに読み出してネットワーク１７に接続する（Ｓ１１１）。次に、端末装置１４は、フラッシュＲＯＭ２１ＢのＴＲＸ番号を参照し、それが自動割当を示す内容（Ｎｕｌｌ）であるか否かを判断する（Ｓ１１２）。自動割当を示す内容でなければ（Ｓ１１２でＮＯ）、Ｓ１１３に進む。
【００４２】
Ｓ１１２で、フラッシュＲＯＭ２１ＢのＴＲＸ番号が自動割当を示す内容であった場合には（Ｓ１１２でＹＥＳ）、端末装置１４は、ネットワーク１７にブロードキャストで割当サーバ１１Ａを検索している旨のメッセージを送信する（Ｓ１１４）。割当サーバ１１Ａがこれを受信して、端末装置１４に応答する（Ｓ１２１）。端末装置１４は、この応答に応じて、ＴＲＸ番号の割当要求を送信するとともに、ＭＡＣアドレスなどの必要な情報を送信する（Ｓ１１５）。この情報を受信した割当サーバ１１Ａは、この端末装置１４に対して所定のＴＲＸ番号を選択して割り当て（Ｓ１２２）、割り当てたＴＲＸ番号およびサーバ情報を含むＴＲＸ情報を端末装置１４に向けて送信する（Ｓ１２３）。割当サーバ１１Ａは、割り当てたＴＲＸテーブルのＴＲＸ番号に対応する割当済フラグをセットする（Ｓ１２４）。
【００４３】
Ｓ１２２では、割当サーバ１１Ａは、静的割当であれば、予め予約されていたＴＲＸ番号を選択する。動的割当であれば、空いているＴＲＸ番号から一つを選択する。このとき、端末装置１４のＭＡＣアドレスが、いずれかのＴＲＸ番号に対応付けて記憶されていればその番号を選択する。選択されたＴＲＸ番号のＭＡＣアドレスの項目には、割り当てられた端末装置１４のＭＡＣアドレスが書き込まれる。
【００４４】
端末装置１４は、Ｓ１１６で割当サーバ１１ＡからＴＲＸ情報を受信する。端末装置１４は、この情報を用いてプロビジョニングサーバ１１Ｂにアクセスして設定（プロビジョニング）を要求する（Ｓ１１７）。また、Ｓ１１２で、フラッシュＲＯＭ２１Ｂに書き込まれているＴＲＸ番号が自動割当を示す内容でなく実際のＴＲＸ番号であった場合は、端末装置１４は、フラッシュＲＯＭ２１ＢのＴＲＸ番号およびサーバ情報をＲＡＭ２１Ａに読み出し（Ｓ１１３）、この情報を用いてプロビジョニングサーバ１１Ｂにアクセスして設定（プロビジョニング）を要求する（Ｓ１１７）。
【００４５】
端末設定要求を受信したプロビジョニングサーバ１１Ｂは、これに応じて、端末番号を含む端末設定情報を送信し（Ｓ１３１）、端末設定テーブルの設定済フラグをセットする（Ｓ１３２）。端末装置１４は、この端末設定情報を受信してＲＡＭ２１Ａに書き込む（Ｓ１１８）。端末装置１４は、中継サーバ１１Ｃに対して登録要求を送信する（Ｓ１１９）。このとき、端末装置１４は、自己および接続中の無線アクセスポイント１３のＩＰアドレスなどの情報を中継サーバ１１Ｃに送信する。中継サーバ１１Ｃは、これらの情報を受信して、端末登録テーブルに登録し（Ｓ１３３）、端末登録テーブルのアクティブフラグをセットする（Ｓ１３４）。これにより、設定が完了し、端末装置１４は、この音声通信システムで音声通信が可能になる。
【００４６】
図１３は端末装置１４の制御部２０によって実行される通信制御処理を示すフローチャートである。この処理は２０ミリ秒毎に繰り返し実行される。この処理では、ＰＴＴスイッチ２２０のオン／オフや音声パケット（ＲＴＰパケット）の受信に応じて、現在の通信の状態（ステータス）が割り出される。ここで、このフローチャートで用いられるフラグ、タイマ類は以下のとおりである。
【００４７】
ＰＴＴ：プッシュ・トゥ・トーク・スイッチ（ＰＴＴスイッチ）２２０の略記であるが、ＰＴＴスイッチ２２０のオン／オフに限定されず、ＶＯＸ回路による送信信号のオン／オフも含んでいる。
ＮＣ０：ユーザの操作によって選択された通信相手の識別番号（端末番号／グループ番号）、通信セッションが確立される最初の音声パケット（呼出音声パケット）に書き込まれ、セッション番号（ＮＣ１）となる。
ＮＣ１：セッション番号（呼出ＩＤ）、実行中の通信セッションを識別する番号
ＦＣ：通信セッションフラグ（この端末装置１４が通信セッションに参加していることを示すフラグ）
ＦＴ：通信中フラグ（音声パケットの送信中または受信中であることを示すフラグ）
Ｔ１：保持時間タイマ（通信セッションの保持時間（５秒）を計時するタイマ）
【００４８】
Ｓ１０〜Ｓ２０は音声パケットの送信管理処理である。制御部２０は、ＰＴＴスイッチ２２０の状態を判断する（Ｓ１０）。制御部２０は、ＰＴＴスイッチ２２０がオンしている場合、処理をＳ１１に進める。ＰＴＴスイッチ２２０がオンしていない場合、処理をＳ２０に進める。
【００４９】
Ｓ１１では、制御部２０は、通信セッションフラグＦＣがセットされているか否かを判断する。通信セッションフラグＦＣがセットされていない場合（Ｓ１１でＮＯ）、今回のＰＴＴスイッチ２２０のオンによって作成される音声パケットは呼出音声パケットである。制御部２０は、通信セッションフラグＦＣ、および、音声パケットを送受信中であることを示す通信中フラグＦＴをセットする（Ｓ１２）。制御部２０は、ユーザによって選択された通信相手番号ＮＣ０を通信セッション番号ＮＣ１に転記し（Ｓ１３）、この通信セッション番号ＮＣ１およびエリア２１３に記憶されているユーザグループ番号が書き込まれた音声パケットを作成し（Ｓ１４）、この音声パケットを中継サーバ１１Ｃ宛に送信する（Ｓ１５）。この呼出音声パケットの送信により、中継サーバ１１Ｃにより通信セッションが開始される。制御部２０は、保持時間タイマＴ１を５秒にリセットしたのち（Ｓ１６）、Ｓ３０以下の音声パケットの受信管理処理に処理を進める。
【００５０】
Ｓ１１で、通信セッションフラグＦＣが既にセットされている場合（Ｓ１１でＹＥＳ）、制御部２０は、通信中フラグＦＴがセットされているか否か、すなわち、現在音声パケットの送信または受信中であるかを判断する（Ｓ１７）。通信中フラグＦＴがセットされていない場合（Ｓ１７でＮＯ）、制御部２０は、通信中フラグＦＴをセットする（Ｓ１８）。処理がＳ１１→Ｓ１７→Ｓ１８に進むのは、既に開始された通信セッションが維持されている状態で、新たな音声パケット（ユーザの通話音声）の送信を開始する場合である。こののち、制御部２０は、Ｓ１４に処理を進める。
【００５１】
Ｓ１０において、ＰＴＴスイッチ２２０がオンされていない場合（Ｓ１０でＮＯ）、制御部２０は、通信中フラグＦＴをリセットする（Ｓ２０）。なお、通信中フラグＦＴが既にリセットされている場合にはそのままでよい。こののち、制御部２０は、Ｓ３０以下の音声パケットの受信管理処理に処理を進める。
【００５２】
制御部２０は、Ｓ３０で、ネットワーク１７を介して音声パケットを受信したか否かを判断する。制御部２０は、音声パケットを受信した場合、処理をＳ３１に進める。音声パケットを受信していない場合、処理をＳ４０に進める。
【００５３】
Ｓ３１では、制御部２０は、通信セッションフラグＦＣがセットされているか否かを判断する。通信セッションフラグＦＣがセットされていない場合（Ｓ３１でＮＯ）、今回新たな通信セッションが確立され、その最初の音声パケットが送信されてきたと判断し、通信セッションフラグＦＣおよび通信中フラグＦＴをセットする（Ｓ３３）。ＦＴフラグは、現在音声パケットを送受信中であることを示すフラグである。制御部２０は、その音声パケットに含まれている通信相手番号を通信セッション番号ＮＣ１に転記する（Ｓ３４）。制御部２０は、音声パケットをオーディオ回路２４に出力し（Ｓ３５）、保持時間タイマＴ１を５秒にリセットする（Ｓ３６）。
【００５４】
Ｓ３１で、通信セッションフラグＦＣが既にセットされている場合（Ｓ３１でＹＥＳ）、制御部２０は、今回の音声パケットの受信に対応して通信中フラグＦＴをセットする（Ｓ３２）。なお、通信中フラグＦＴが既にセットされている場合にはそのままでよい。こののち、制御部２０は、処理をＳ３５に進める。
【００５５】
Ｓ３０において、音声パケットを受信しなかった場合（Ｓ３０でＮＯ）、制御部２０は、通信セッションフラグＦＣがセットされているか否かを判断する（Ｓ４０）。通信セッションフラグＦＣがセットされている場合（Ｓ４０でＹＥＳ）、制御部２０は、Ｓ４１以下の処理を実行する。通信セッションフラグＦＣがセットされていない場合（Ｓ４０でＮＯ）、制御部２０は、そのまま処理を終了する。
【００５６】
Ｓ４１では、制御部２０は、通信中フラグＦＴがセットされているか否かを判断する。通信中フラグＦＴがセットされている場合（Ｓ４１でＹＥＳ）、制御部２０は、そのまま処理を終了する。通信中フラグＦＴがセットされていない場合（Ｓ４１でＮＯ）、すなわち、通信中フラグＦＴはリセットされているが通信セッションフラグＦＣがセットされた状態の場合、制御部２０は、保持時間タイマＴ１を１カウント（２０ミリ秒分）減算する（Ｓ４２）。そして、この減算で保持時間タイマＴ１が０になったか否かを判断する（Ｓ４３）。保持時間タイマＴ１が０になった場合（Ｓ４３でＹＥＳ）、制御部２０は、通信セッションを解消するために、通信セッションフラグＦＣをリセットする（Ｓ４４）。Ｓ４３において、保持時間タイマＴ１が未だ０よりも大きい場合（Ｓ４３でＮＯ）、制御部２０は、そのまま処理を終了する。
【００５７】
図１４および図１５は、中継サーバ１１Ｃの動作を示すフローチャートである。図１４は、音声パケット受信時の処理を示している。図１５は、ミキシングテーブル管理処理を示している。
【００５８】
図１４において、中継サーバ１１Ｃの制御部３０は、端末装置１４から音声パケットを受信すると（Ｓ５０）、その音声パケットの発信元端末番号および通信相手番号で識別される通信セッションが、既にミキシングテーブルに登録されているかを判断する（Ｓ５１）。通信セッションが既にミキシングテーブルに登録されている場合（Ｓ５１でＹＥＳ）、制御部３０は、ミキシングテーブルの参加端末番号に基づき、受信した音声パケットに含まれている音声信号を通信セッションに参加している端末装置１４宛に転送する（Ｓ５６）。そして、ミキシングテーブルのその通信セッションの保持時間タイマＴＳを３０秒にリセットする（Ｓ５７）。
【００５９】
受信した音声パケットの通信セッションが、ミキシングテーブルに登録されていない場合（Ｓ５１でＮＯ）、すなわち、この音声パケットが呼出音声パケットであった場合、制御部３０は、この呼出音声パケットに基づく新たな通信セッションをミキシングテーブルに登録する（Ｓ５２）。このとき、通信相手番号がセッション番号として登録され、この音声パケットの送信元の端末装置１４の端末番号が発呼端末番号として登録される。参加端末番号としては、個別通信セッションの場合、通信相手番号および発呼端末番号が登録され、グループ通信セッションの場合、発呼端末番号および通信相手番号のグループに所属する端末装置１４の端末番号が登録される。
【００６０】
制御部３０は、受信した音声パケットの音声信号を、その通信セッションに参加している端末装置１４宛に転送する（Ｓ５３）。その通信セッションに参加している端末装置１４は、ミキシングテーブルに登録されているその通信セッションの参加端末番号から決定される。
【００６１】
図１５のミキシングテーブル管理処理は、定期的（たとえば２０ミリ秒毎）に繰り返し実行される。制御部３０は、まずミキシングテーブルの先頭行の通信セッションを指定する（Ｓ７０）。制御部３０は、指定された通信セッションの保持時間タイマＴＳを１カウント（２０ミリ秒分）減算し（Ｓ７１）、この減算で保持時間タイマＴＳが０になったか否かを判断する（Ｓ７２）。保持時間タイマＴＳが０になった場合（Ｓ６２でＹＥＳ）、制御部３０は、この通信セッションは終了したとして、この行の通信セッションを消去する（Ｓ７３）。制御部３０は、以上の処理をミキシングテーブルの最終行になるまで順次行うことで（Ｓ７４、Ｓ７５）、ミキシングテーブルの管理を行う。
【００６２】
図１６に示すように、上述の音声通信システムが、複数構築される場合がある。すなわち拠点１に第１音声通信システム、拠点２に第２音声通信システムが構築される。そして、端末装置１４には、これらの拠点（拠点１、拠点２）間を行き来するものがある。このような端末装置１４の場合、ＴＲＸ情報を自動割当にしておけば、すなわち、ＴＲＸ番号を空欄にしておけば、両拠点の割当サーバ１１Ａから、それぞれの拠点（音声通信システム）に合わせたＴＲＸ情報を受け取ることができ、拠点を移動するごとに手動でＴＲＸ情報の設定をする必要がなくなる。ただし、各拠点のネットワーク１７に接続するためのネットワーク情報は、その拠点に移動する前に、前の拠点のネットワーク１７に接続されているときに設定されることが望ましい。各拠点は、場所的に離れていてもよく、近接する場所で異なる部署するため、ネットワーク１７が切り離されているものであってもよい。また、拠点数は２に限定されない。
【００６３】
図１７は、割当サーバ１１Ａからネットワーク情報を取得する処理の手順を示す図である。この処理は、ある拠点で運用を終えた端末装置１４が次の拠点へ移動する前に次の拠点のネットワーク情報を取得するために、短時間電源オンして行われる処理である。運用を終えて一旦電源がオフされ、次の拠点のネットワーク情報を取得するために、コントロールボタンを押しながら再度電源オン（本発明の第２の手順）して割当サーバ１１Ａにアクセスしたときの処理を示す図である。なお、他のボタン（少なくともコントロールボタン）を操作しないで電源をオンする通常の操作が本発明の第１の手順に対応する。
【００６４】
図１７において、コントロールボタンが押された状態で端末装置１４の電源がオンされると（Ｓ１４０）、端末装置１４は、フラッシュＲＯＭ２１Ｂに記憶されている（この拠点の）ネットワーク情報をＲＡＭ２１Ａに読み出してネットワーク１７に接続する（Ｓ１４１）。次に、フラッシュＲＯＭ２１ＢのＴＲＸ番号を参照し、それが自動割当を示す内容（Ｎｕｌｌ）であるか否かを判断する（Ｓ１４２）。フラッシュＲＯＭ２１ＢのＴＲＸ番号が自動割当を示す内容であった場合には（Ｓ１４２でＹＥＳ）、端末装置１４は、ネットワーク１７にブロードキャストで割当サーバ１１Ａを検索している旨のメッセージを送信する（Ｓ１４３）。割当サーバ１１Ａがこれを受信して、端末装置１４に応答する（Ｓ１５０）。端末装置１４は、この応答に対してネットワーク情報のリストを要求するメッセージを送信する（Ｓ１４４）。割当サーバ１１Ａが、これに応じてダミーのＴＲＸ番号（図５の０９１〜１００）、および、それらに対応づけられた拠点名（支店名）などの名称のリストを送信してくる（Ｓ１５１）。端末装置１４は、このリストに記載された拠点名（またはＴＲＸ番号および拠点名）を表示部２３に表示し（Ｓ１４５）、この表示を見たユーザによって何れかの拠点が選択される（Ｓ１４６）。端末装置１４は、この選択された拠点に対応するＴＲＸ番号を割当サーバ１１Ａに返信して、端末設定（プロビジョニング）を要求する（Ｓ１４７）。割当サーバ１１Ａは、この設定要求に応じてプロビジョニングを行う（Ｓ１５２）。プロビジョニングは、選択されたＴＲＸ番号に対応するダミーの設定情報を端末装置１４に送信することで行われる。このダミーの設定情報に選択された拠点のネットワーク情報が含まれている。この設定情報を受信した端末装置１４は、受信したネットワーク情報をフラッシュＲＯＭ２１Ｂに書き込む（Ｓ１４８）。以上の処理を終えたのち、ユーザによって電源がオフされて（Ｓ１４９）、処理が終了する。Ｓ１５２で、ダミーデータに基づくプロビジョニングが行われるが、移動先の拠点で電源がオンされたときに、図１２の動作が実行されてネットワーク情報を除く新たな設定情報がダウンロードされるため問題はない。また、Ｓ１４０でコントロールボタンが押された状態で電源がオンされた場合には、Ｓ１４９で自動的に電源をオフするようにしてもよい。なお、Ｓ１４５で、表示部２３に拠点名を表示することにより、ネットワーク情報（拠点）の選択が容易になる。
【００６５】
以上の処理により、次に電源がオンされたときは、端末装置１４は、このフラッシュＲＯＭ２１Ｂに書き込まれた新たなネットワーク情報に基づいてネットワーク１７を検索して接続する。
【００６６】
なお、Ｓ１１２において、ＴＲＸ番号が自動割当を示す内容（Ｎｕｌｌ）でない場合は（Ｓ１１２でＮＯ）、手動操作で実際のＴＲＸ情報が書き込まれているため、Ｓ１１４−Ｓ１４２の処理は行われずに処理が終了する。なお、この場合（手動設定されている場合）でも、Ｓ１４３に進んでネットワーク情報の選択ができるようにしてもよい。また、実際のＴＲＸ情報が書き込まれている場合は、コントロールボタンを押しながら電源がオンされた場合でも、Ｓ１４２から図１２のＳ１１３にジャンプして通常の起動をするようにしてもよい。
【００６７】
また、コントロールボタルが押された状態で電源がオンされても通常どおり起動するようにしてもよい。この場合、図１２のＳ１２３において、割当サーバ１０Ａが端末装置１４に対して、この端末装置１４のために選択されたＴＲＸ番号（動的割当／静的割当）と、ダミーのＴＲＸ番号リストを一緒に送信すればよい。ＴＲＸ番号リストでは、端末装置１４のために選択された実質的なＴＲＸ番号がデフォルト（リストの先頭）とされている。端末装置１４が、所定の選択操作（本発明の所定の操作）がされないまま次の処理に進めば、この実質的なＴＲＸ番号が自動選択され、リストの表示中にダミーのＴＲＸ番号が選択された場合に、図１７のＳ１４５〜Ｓ１４９の処理が実行されるようにすればよい。
【符号の説明】
【００６８】
１１  サーバ
１１Ａ  割当サーバ
１１Ｂ  プロビジョニングサーバ
１１Ｃ  中継サーバ
１２  管理装置
１３  無線アクセスポイント
１４  端末装置
１６  無線ＬＡＮ
１７  ネットワーク
【図１】
0006544360.tif 000002
【図２】
0006544360.tif 000003
【図３Ａ】
0006544360.tif 000004
【図３Ｂ】
0006544360.tif 000005
【図３Ｃ】
0006544360.tif 000006
【図４】
0006544360.tif 000007
【図５】
0006544360.tif 000008
【図６】
0006544360.tif 000009
【図７】
0006544360.tif 000010
【図８】
0006544360.tif 000011
【図９】
0006544360.tif 000012
【図１０】
0006544360.tif 000013
【図１１】
0006544360.tif 000014
【図１２】
0006544360.tif 000015
【図１３】
0006544360.tif 000016
【図１４】
0006544360.tif 000017
【図１５】
0006544360.tif 000018
【図１６】
0006544360.tif 000019
【図１７】
0006544360.tif 000020